【手続補正書】
【提出日】平成16年12月28日(2004.12.28)
【手続補正１】
【補正対象書類名】特許請求の範囲
【補正対象項目名】全文
【補正方法】変更
【補正の内容】
【特許請求の範囲】
【請求項１】
気管支通路用の流れ制御装置であって：
前記流れ制御装置を通過する流体流れを調節するバルブ要素と；
前記バルブ要素を少なくとも部分的に囲い、半径方向外側に延びて、前記流れ制御装置が気管支通路内に移殖されたときに前記気管支通路の内壁と協働してシールを形成するシール要素と；
前記シール要素に固定され、前記流れ制御装置が気管支通路内に移殖されたときに当該気管支通路の内壁に対して半径方向の力を及ぼし、前記流れ制御装置を前記気管支通路内の固定位置に保持する固定要素と；
前記バルブ要素を少なくとも部分的に囲む環状の壁からなるバルブ保護と、から構成される流れ制御装置。
【請求項２】
気管支通路用の流れ制御装置であって：
前記流れ制御装置を通過する流体流れを調節するバルブ要素と；
前記バルブ要素を少なくとも部分的に囲い、半径方向外側に延びて、前記流れ制御装置が気管支通路内に移殖されたときに前記気管支通路の内壁と協働してシールを形成するシール要素と；
前記シール要素に固定され、前記流れ制御装置が気管支通路内に移殖されたときに当該気管支通路の内壁に対して半径方向の力を及ぼし、前記流れ制御装置を前記気管支通路内の固定位置に保持する固定要素と、から構成され、
前記固定要素が、複数の相互に結合された支柱と、気管支通路の内壁と係合して内壁内での第１の方向への移動を制限するよう形成された複数の突出棒とを有する環状フレームから構成される流れ制御装置。
【請求項３】
気管支通路用の流れ制御装置であって：
前記流れ制御装置を通過する流体流れを調節するバルブ要素と；
前記バルブ要素を少なくとも部分的に囲い、半径方向外側に延びて、前記流れ制御装置が気管支通路内に移殖されたときに前記気管支通路の内壁と協働してシールを形成するシール要素と；
前記シール要素に固定され、前記流れ制御装置が気管支通路内に移殖されたときに当該気管支通路の内壁に対して半径方向の力を及ぼし、前記流れ制御装置を前記気管支通路内の固定位置に保持する固定要素と；
前記流れ制御装置を気管支通路から取り除くための除去工具と係合するよう構成された前記流れ制御装置の少なくとも１つの開口部と、から構成される流れ制御装置。
【請求項４】
気管支通路用の流れ制御装置であって：
前記流れ制御装置を通過する流体流れを調節する第１及び第２のバルブ要素と；
前記第１及び第２のバルブ要素の少なくとも１つを少なくとも部分的に囲い、半径方向外側に延びて、前記流れ制御装置が気管支通路内に移殖されたときに前記気管支通路の内壁と協働してシールを形成するシール要素と；
前記シール要素に固定され、前記流れ制御装置が気管支通路内に移殖されたときに当該気管支通路の内壁に対して半径方向の力を及ぼし、前記流れ制御装置を前記気管支通路内の固定位置に保持する固定要素と、から構成され、
前記第１のバルブ要素が第１の突破圧力で開口して流体が前記流れ制御装置を通過して第１の方向へ流れることを許容し、前記第２のバルブ要素が第２の突破圧力で開口して流体が前記流れ制御装置を通過して第２の方向へ流れることを許容する流れ制御装置。
【請求項５】
前記シール要素が、前記流れ制御装置の外周を少なくとも部分的に囲み、前記流れ制御装置の長手軸に対して半径方向外側に第１の距離まで延びる第１のフランジを含む、請求項１から４のいずれか一に記載の流れ制御装置。
【請求項６】
前記シール要素が、前記流れ制御装置の外周を少なくとも部分的に囲み、前記流れ制御装置の長手軸に対して半径方向外側に第２の距離まで延びる第２のフランジを含む、請求項５に記載の流れ制御装置。
【請求項７】
前記第１の半径方向の距離が前記第２の半径方向の距離と異なっている、請求項６に記載の流れ制御装置。
【請求項８】
前記フランジが、前記長手軸に対して角度を設けて延びている、請求項５に記載の流れ制御装置。
【請求項９】
前記シール要素が空洞部を形成する袖部を含み、前記袖部は、前記流れ制御装置が気管支通路内に移殖されたときに前記気管支通路の内壁と協働してシールを形成し、前記流れ制御装置を気管支通路内の固定位置に保持する、請求項１から４のいずれか一に記載の流れ制御装置。
【請求項１０】
前記固定要素が、前記シール要素の袖部の空洞部内に保持されている、請求項９に記載の流れ制御装置。
【請求項１１】
少なくとも１つのリベットが前記袖部の第１の表面を当該袖部の対向する表面に取り付け、これによって前記固定要素を前記空洞部内に保持する、請求項１０に記載の流れ制御装置。
【請求項１２】
接着剤が前記袖部の第１の表面を当該袖部の対向する表面に固着し、これによって前記固定要素を前記空洞部内に保持する、請求項１０に記載の流れ制御装置。
【請求項１３】
前記固定要素が前記シール要素の袖部の空洞部内で移動可能である、請求項１０に記載の流れ制御装置。
【請求項１４】
前記バルブ要素は、突破圧力の流体が前記流れ制御装置を通過して第１の方向に流れることを許容し、前記第１の方向と反対の第２の方向に流体が流れ制御装置を通過して流れることを阻止することにより前記流れ制御装置を通過する流体流れを調節する、請求項１から３のいずれか一に記載の流れ制御装置。
【請求項１５】
前記バルブ要素がくちばし状バルブから構成される、請求項１４に記載の流れ制御装置。
【請求項１６】
前記バルブ要素がフラップバルブから構成される、請求項１４に記載の流れ制御装置。
【請求項１７】
前記バルブ要素は、流体が前記流れ制御装置を通過していずれの方向へ流れることも阻止することにより前記流れ制御装置を通過する流体流れを調節する、請求項１から３のいずれか一に記載の流れ制御装置。
【請求項１８】
前記バルブ要素が隔壁から構成される、請求項１７に記載の流れ制御装置。
【請求項１９】
前記隔壁がスリットを含み、前記スリットは、前記バルブ要素を通過して流体の通路を提供する拡張装置により開口されることが可能である、請求項１８に記載の流れ制御装置。
【請求項２０】
前記バルブ要素は、第１の突破圧力で開いて流体が前記流れ制御装置を通過して第１の方向に流れることを許容し、第２の突破圧力で開いて流体が前記流れ制御装置を通過して第２の方向に流れることを許容する、請求項１から３のいずれか一に記載の流れ制御装置。
【請求項２１】
前記バルブ保護は前記バルブ保護要素を貫通して延びる少なくとも１つの穴を含み、除去装置が前記流れ制御装置を掴み得る場所を当該穴が提供する、請求項１に記載の流れ制御装置。
【請求項２２】
前記バルブ保護要素が超弾性材料から作られている、請求項１に記載の流れ制御装置。
【請求項２３】
前記バルブ保護要素が硬質である、請求項１に記載の流れ制御装置。
【請求項２４】
前記固定要素が、曲がった支柱を含む前記流れ制御装置の長手軸に対して外側に張り出す複数の支柱から形成されたフレームから構成され、前記流れ制御装置が気管支通路内に配置されたとき、前記曲がった支柱は前記気管支通路の気管支壁に固定して前記流れ制御装置の第１の方向への移動を阻止する、請求項１、３、４のいずれか一に記載の流れ制御装置。
【請求項２５】
前記フレームは、１つ又は複数の突出棒を形成する複数の支柱から構成され、前記流れ制御装置が前記気管支通路内に配置されたとき、前記突出棒は、気管支通路の内壁に固定して前記流れ制御装置が第２の方向へ移動することを阻止する、請求項２４に記載の流れ制御装置。
【請求項２６】
前記固定要素が弛緩状態と圧縮状態の間で前記流れ制御装置の長手軸に対して半径方向に拡張または縮小可能であり、前記流れ制御装置が弛緩状態のときに、前記流れ制御装置は当該流れ制御装置が圧縮状態にあるときの直径よりも大きな直径を有する、請求項１から４のいずれか一に記載の流れ制御装置。
【請求項２７】
前記固定要素は、前記バルブ要素及びシール要素とは独立して拡大、縮小可能である、請求項２６に記載の流れ制御装置。
【請求項２８】
前記固定要素が、前記シール要素を少なくとも部分的に囲む、請求項１から４のいずれか一に記載の流れ制御装置。
【請求項２９】
前記固定要素が、前記シール要素のいずれの部分をも囲んでいない、請求項１から４のいずれか一に記載の流れ制御装置。
【請求項３０】
前記バルブ保護が、前記バルブ要素全体を囲んでいる、請求項１に記載の流れ制御装置。
【請求項３１】
前記バルブ保護が、前記バルブ要素の一部のみを囲んでいる、請求項１に記載の流れ制御装置。
【請求項３２】
前記流れ制御装置を通過する流体流れを調節する追加のバルブ要素をさらに備えている、請求項１から３のいずれか一に記載の流れ制御装置。
【請求項３３】
前記バルブ要素は、第１の突破圧力で開いて流体が前記流れ制御装置を通過して第１の方向に流れることを許容し、前記追加のバルブ要素は、第２の突破圧力で開いて流体が前記流れ制御装置を通過して第２の方向に流れることを許容する、請求項３２に記載の流れ制御装置。
【請求項３４】
前記バルブ要素は、当該バルブ要素を通過して挿入が可能な拡張装置によって拡張が可能であり、前記拡張装置は、前記バルブ要素を通過する流体通路を提供する、請求項１から３のいずれか一に記載の流れ制御装置。
【請求項３５】
前記バルブ要素は、当該バルブ要素を通過して前記拡張装置が挿入されたときに当該拡張装置の外周の周囲にシールを提供する、請求項３４に記載の流れ制御装置。
【請求項３６】
前記流れ制御装置の少なくとも一部をコートする薬剤をさらに備えている、請求項１から４のいずれか一に記載の流れ制御装置。
【請求項３７】
流れ制御装置を気管支通路内に供給するためのシステムであって：
近接端末と遠隔端末とを備え、気管を通過して気管支通路の目標位置に展開するよう寸法採りされ、遠隔端末が他の領域よりもより柔軟性に富んだカテーテルと；
前記カテーテルの遠隔端末又はその近傍に配置され、前記流れ制御装置を少なくとも部分的に受け入れるよう寸法採りされた内部空間を形成するハウジングと；
前記ハウジング内に移動可能に配置され、前記流れ制御装置が前記ハウジング内にあるときに前記流れ制御装置を前記ハウジング外へ放出できるよう形成された放出要素と；
前記カテーテルに取り付けられて前記放出要素と機械的に結合され、前記放出要素を前記ハウジング内で動かし、流れ制御装置を当該ハウジングから放出するよう操作可能な操作要素と、から構成されるシステム。
【請求項３８】
前記カテーテルが前記ハウジングの遠隔側に位置する延長先端領域を含み、前記先端領域が円形の遠隔表面を有する、請求項３７に記載のシステム。
【請求項３９】
前記先端領域が柔軟性材料から構成される、請求項３８に記載のシステム。
【請求項４０】
前記柔軟性材料が、ポリエーテル・ブロック・アミン樹脂（Pebax）、シリコーン、又はウレタンから構成される、請求項３９に記載のシステム。
【請求項４１】
前記カテーテルの先端領域が、柔軟性ワイヤから構成される、請求項３８に記載のシステム。
【請求項４２】
前記カテーテルの全長にわたって中央ガイドワイヤ管腔が延び、前記ガイドワイヤ管腔は、前記カテーテルの展開時に当該カテーテルを気管支通路の目標位置までガイドするために使用可能なガイドワイヤを収納するよう寸法採りされている、請求項３７に記載のシステム。
【請求項４３】
前記カテーテルが前記ハウジングの遠隔側に位置する先端領域を含み、前記先端領域は、前記カテーテルの長手軸に対して非対称な形状を当該先端領域に提供する長尺突起を含む、請求項３７に記載のシステム。
【請求項４４】
前記長尺突起は、圧縮されたサイズとなるよう圧縮に対して追従性がある、請求項４３に記載のシステム。
【請求項４５】
前記カテーテルの遠隔部分が曲線状で、当該カテーテルの遠隔部分は前記突起を含む平面内で曲がっている、請求項４４に記載のシステム。
【請求項４６】
前記カテーテルが曲げ剛性を有し、当該曲げ剛性はカテーテルの各位置において異なっている、請求項３７に記載のシステム。
【請求項４７】
前記カテーテルの遠隔部分は、当該カテーテルの近接部分の曲げ剛性よりも小さい曲げ剛性を有する、請求項４６に記載のシステム。
【請求項４８】
前記カテーテルが、外部要素と、前記外部要素の中にスライド移動可能に収納された内部要素とを含む、請求項３７に記載のシステム。
【請求項４９】
前記ハウジングが前記外部要素の遠隔端末に取り付けられ、前記内部要素の遠隔端末が前記ハウジングを貫通して突出し、ハウジングに対してスライド移動可能である、請求項４８に記載のシステム。
【請求項５０】
前記放出要素が、前記内部要素の遠隔端末に取り付けられたフランジから構成される、請求項４９に記載のシステム。
【請求項５１】
前記操作要素が、前記外部要素の近接端末に取り付けられた第１のハンドル部分と前記内部要素の近接端末に取り付けられた第２のハンドル部分とを有するハンドルから構成され、前記放出要素を前記ハウジングに対して移動させるため、前記第１のハンドル部分が前記第２のハンドル部分に対して相対移動可動である、請求項４８に記載のシステム。
【請求項５２】
前記操作要素が、前記外部要素の近接端末に取り付けられた第１のハンドル部分と前記内部要素の近接端末に取り付けられた第２のハンドル部分とを有するハンドルから構成され、前記ハウジングを前記放出要素に対して移動させるため、前記第１のハンドル部分は前記第２のハンドル部分に対して相対移動可動である、請求項４８に記載のシステム。
【請求項５３】
前記ハウジングの内部空間は、前記流れ制御装置全体を受け入れるよう寸法採りされている、請求項３７に記載のシステム。
【請求項５４】
前記ハウジングの内部空間は、前記流れ制御装置の一部分のみを受け入れるよう寸法採りされ、流れ制御装置が前記ハウジング内に位置しているときに前記流れ制御装置の遠隔端末が前記ハウジングから外部へ突出している、請求項３７に記載のシステム。
【請求項５５】
前記ハウジングの内部空間は、当該ハウジング内に挿入される流れ制御装置の形状にほぼ対応した形状を有する、請求項３７に記載のシステム。
【請求項５６】
引っ張りワイヤをさらに含み、当該引っ張りワイヤの遠隔端末は前記カテーテルの遠隔端末に取り付けられ、当該引っ張りワイヤの近接端末を引っ張ることで前記カテーテルの遠隔端末を変形させることができる、請求項３７に記載のシステム。
【請求項５７】
前記カテーテルの遠隔部分が曲線状となり、当該カテーテルの遠隔部分は、前記突起を含む平面内で曲がっている、請求項３７に記載のシステム。
【請求項５８】
流れ制御装置を気管支通路内に供給するためのシステムであって：
近接端末と遠隔端末とを有し、気管を通過して気管支通路の目標位置に展開するよう寸法採りされたカテーテルで、ハウジングより遠隔側に位置する先端領域を含み、前記先端領域が曲がった形状に変形しているカテーテルと；
前記カテーテルの遠隔端末又はその近傍に位置し、前記流れ制御装置の少なくとも部分を収納するよう寸法採りされた内部空間を形成するハウジングと、から構成されるシステム。
【請求項５９】
前記カテーテルの先端領域が「Ｊ」字状に曲がっている、請求項５８に記載のシステム。
【請求項６０】
前記カテーテルが心棒を受け入れるよう寸法採りされた管腔を含み、前記カテーテルは、前記心棒が前記管腔に挿入されたときに当該心棒の形状に従うことができる、請求項５９に記載のシステム。
【請求項６１】
前記先端領域は弾力性があり、当該先端領域の形状が乱された後、当該先端領域が自動的に元の曲げ形状に復帰する、請求項６０に記載のシステム。
【請求項６２】
流れ制御装置を供給カテーテルに装填するためのシステムであって：
前記流れ制御装置を収納するよう寸法採りされた装填トンネルを有し、前記流れ制御装置が前記装填トンネル内に配置されたときに当該流れ制御装置を前記供給カテーテルの中に納まる大きさまで圧縮するための圧縮力を前記流れ制御装置に及ぼすことができる装填装置と；
前記装填装置の装填トンネル内にスライド移動可能に嵌まり、前記装填トンネルが圧縮された流れ制御装置を前記供給カテーテル内に放出するよう前記装填トンネル内に挿入可能な第１のピストンと、から構成されるシステム。
【請求項６３】
前記装填装置は、前記装填トンネル内に位置する流れ制御装置の外周の周囲に均等に配分された圧縮力を提供することができる、請求項６２に記載のシステム。
【請求項６４】
前記装填装置は本体を備え、前記装填トンネルは前方開口部と後方開口部とを前記本体に形成し、前記前方開口部は前記流れ制御装置を受け入れるよう寸法採りされ、前記後方開口部は前記カテーテルの遠隔端末を受け入れるよう寸法採りされている、請求項６２に記載のシステム。
【請求項６５】
前記装填トンネルが前記前方開口部に隣接する位置に漏斗状の装填領域を含み、前記流れ制御装置が前記漏斗状領域に押し込まれて前記流れ制御装置のサイズを圧縮するよう、前記漏斗形状の装填領域が前記前方開口部から後方開口部に移動する間に第１のサイズから第２のサイズへ段階的に縮小する、請求項６４に記載のシステム。
【請求項６６】
前記装填トンネルが前記カテーテルのハウジングを受け入れるよう寸法採りされたハウジング領域を含み、前記ハウジングが、前記装填トンネルの漏斗形状の領域から前記流れ制御装置を受け取るために位置決めされるよう固定位置に配置され得る、請求項６５に記載のシステム。
【請求項６７】
前記装填装置は、前記カテーテルが前記装填トンネルから流れ制御装置を受け入れる位置に配置してカテーテルを装填装置内にロックするロック機構を含む、請求項６６に記載のシステム。
【請求項６８】
前記ロック機構は、前記トンネルの後方開口部を少なくとも部分的に閉鎖する移動式のドアを備え、当該移動式ドアは開放位置から閉鎖位置へ移動可能であり、前記ドアが開放位置にあるときに前記後方開口部を通過してカテーテルのハウジングが挿入可能であり、前記ドアが閉鎖位置にあるときには前記後方開口部を通過する前記カテーテルのハウジングの挿入が不能である、請求項６７に記載のシステム。
【請求項６９】
前記第１のピストンが、前記装填トンネルの壁の対応する溝と係合する少なくとも１つの溝を有する、請求項６２に記載のシステム。
【請求項７０】
前記装填シャフト内に移動可能に嵌まる第２のピストンをさらに含み、当該第２のピストンは、前記流れ制御装置を前記装填トンネル内に第１の距離だけ押し込むよう寸法採りされている、請求項６２に記載のシステム。
【請求項７１】
前記第１のピストンと第２のピストンとが相互に取り付けられている、請求項７０に記載のシステム。
【請求項７２】
前記装填装置は第１のハンドルと第２のハンドルとを有し、前記第１のハンドルは前記第２のハンドルに対して移動可能であり、前記装填装置は前記装填トンネルの大きさを形成する１つ又はそれ以上のカムを含み、前記カムは、前記第１のハンドルが前記第２のハンドルに向けて移動したときに前記装填トンネルの大きさが減少するよう前記第１のハンドル及び第２のハンドルに移動可能に結合されている、請求項６２に記載のシステム。
【請求項７３】
前記第１のハンドルが、前記第２のハンドルに対して回転して移動可能である、請求項７２に記載のシステム。
【請求項７４】
レバーが前記第１のピストンを前記装填装置に取り付け、前記ピストンを前記トンネル内でスライド移動させるよう前記レバーが移動可能である、請求項７２に記載のシステム。
【請求項７５】
流れ制御装置を気管支通路内に配置する方法であって：
流れ制御装置が配置される気管支通路内の目標位置を特定し；
流れ制御装置が内部に装填された供給カテーテルを提供し、前記流れ制御装置は前記供給カテーテルの遠隔端末に位置するハウジング内に装填され、前記供給カテーテルは前記ハウジング内に位置する放出要素を含み、前記放出要素は、前記流れ制御装置を前記ハウジング外に放出するよう操作される操作具に結合され；
前記ハウジングが前記気管支通路内の目標位置に配置されるよう、前記供給カテーテルを前記気管支通路内に位置決めし；
前記流れ制御装置が前記気管支通路内に配置されるよう前記流れ制御装置を前記ハウジングから放出すること、からなる方法。
【請求項７６】
前記供給装置を前記気管支通路から取り除くことをさらに含む、請求項７５に記載の方法。
【請求項７７】
前記気管支通路を通して空気が供給される目標となる肺領域を特定することを更に含む、請求項７５に記載の方法。
【請求項７８】
前記気管支通路内の目標位置の内径を特定し；
前記気管支通路内の目標位置の内径に応じて前記気管支通路の管腔内に配置される流れ制御装置を選択することを更に含む、請求項７５に記載の方法。
【請求項７９】
前記流れ制御装置を前記供給カテーテルのハウジング内に装填することを更に含む、請求項７５に記載の方法。
【請求項８０】
前記流れ制御装置が前記気管支通路内に配置され、当該流れ制御装置は、空気が前記気管支通路を通過して吸引方向に流れることを阻止する、請求項７５に記載の方法。
【請求項８１】
前記流れ制御装置が前記気管支通路内に配置され、当該流れ制御装置は、空気が前記気管支通路を通過して吸引方向に流れることを阻止し、そして空気が前記気管支通路を通過して排出方向へ流れることを阻止する、請求項７５に記載の方法。
【請求項８２】
内部の流体通路と近接端末と遠隔端末とを有する拡張装置を、前記気管支通路内に挿入し；
前記拡張装置の遠隔端末が前記気管支通路内の流れ制御装置のバルブ要素の遠隔側に位置し、前記拡張装置の近接端末が前記流れ制御装置のバルブ要素の近接側に位置するように前記流れ制御装置を通過させて前記拡張装置を挿入し、前記拡張装置が前記流れ制御装置を通過する流体通路を提供することを更に含む、請求項７５に記載の方法。
【請求項８３】
前記拡張装置の近接端末は、前記拡張装置を排出方向に通過する流体流れを許容し、前記拡張装置を吸引方向に通過する流体流れを阻止するワンウェイバルブを含む、請求項８２に記載の方法。
【請求項８４】
前記流れ制御装置を前記気管支通路内に維持したまま、前記拡張装置に取り付けられた連結ひもを引っ張ることによって前記拡張装置を前記流れ制御装置から取り外すことを更に含む、請求項８２に記載の方法。
【請求項８５】
前記拡張装置の流体通路の近接端末は、前記気管支通路を通って近接方向に延びるカテーテルの内部管腔と流体的につながっている、請求項８２に記載の方法。
【請求項８６】
前記カテーテルが、当該カテーテルの内部管腔につながる少なくとも１つの通気穴を有し、前記通気穴は、前記拡張装置のバルブ要素の近接側にある気管支通路内に位置する前記カテーテルの部分に位置している、請求項８５に記載の方法。
【請求項８７】
前記流れ制御装置の遠隔側にある気管支通路の位置から流体を吸引するために前記拡張装置を使用することを更に含む、請求項８２に記載の方法。
【請求項８８】
前記流れ制御装置の遠隔側にある気管支通路の位置に前記拡張装置を介して吸引を作用させることを更に含む、請求項８２に記載の方法。
【請求項８９】
前記の吸引が、前記流れ制御装置により分断された肺の領域を虚脱させる、請求項８８に記載の方法。
【請求項９０】
前記拡張装置を介し、前記流れ制御装置の遠隔側にある気管支通路の位置に材料を浸透させることを更に含む、請求項８２に記載の方法。
【請求項９１】
前記材料が酸素である、請求項９０に記載の方法。
【請求項９２】
前記材料が気管支治療源である、請求項９０に記載の方法。
【請求項９３】
前記流れ制御装置により分断された肺領域から空気を吸引することを更に含む、請求項８２に記載の方法。
【請求項９４】
前記拡張装置に結合された真空源を使用して、前記流れ制御装置により分断された肺領域から空気を吸引することを更に含む、請求項８２に記載の方法。
【請求項９５】
前記拡張装置の近接端末が、患者の口から外部に突出している、請求項８２に記載の方法。
【請求項９６】
前記流れ制御装置により気管支的に分断された肺領域に、当該肺領域を虚脱するため１つ又はそれ以上の処置を実施することをさらに含む、請求項７５に記載の方法。
【請求項９７】
前記流れ制御装置を薬剤でコートすることを更に含む、請求項７５に記載の方法。
【請求項９８】
目標位置の場所より少なくとも一段階手前側の気管支通路に遠隔端末が配置されるように気管支鏡を気管支通路内に挿入し、
前記供給カテーテルを前記気管支鏡の作業チャンネル内に挿入することによって気管支通路内に展開することを更に含む、請求項７５に記載の方法。
【請求項９９】
気管支鏡の作業チャンネルを通して前記供給カテーテルを挿入し；
気管支鏡の作業チャンネル内へ前記供給カテーテルを挿入した後、当該気管支鏡の遠隔端末が気管支通路内の前記目標位置の近傍に配置されるよう、また前記供給チャンネルのハウジングが前記気管支鏡の遠隔端末を通って突出するように気管支鏡を前記気管支通路内に挿入することを更に含む、請求項７５に記載の方法。
【請求項１００】
気管支通路内の前記目標位置に遠隔端末が位置するようガイドワイヤを前記気管支通路内に挿入し；
前記ガイドワイヤ上を通して供給カテーテルを挿入することにより、当該供給カテーテルを前記気管支通路内に展開することを更に含む、請求項７５に記載の方法。
【請求項１０１】
前記流れ制御装置を前記気管支通路内に配置するために前記流れ制御装置を前記ハウジングから放出する手順は、前記放出要素が前記流れ制御装置を前記ハウジング外へ押し出すように操作具を制御することからなる、請求項７５に記載の方法。
【請求項１０２】
前記流れ制御装置を前記気管支通路内に配置するために前記流れ制御装置を前記ハウジングから放出する手順は、前記流れ制御装置を固定位置に維持したままで前記ハウジングを近接方向へ移動し、当該ハウジングを前記流れ制御装置から引き離すことからなる、請求項７５に記載の方法。
【請求項１０３】
前記流れ制御装置が：
前記流れ制御装置を通過する流体流れを調節するバルブ要素と；
前記バルブ要素を少なくとも部分的に囲い、半径方向外側に延びて前記流れ制御装置が気管支通路内に移殖されたときに前記気管支通路の内壁と協働してシールを形成するシール要素と；
前記シール要素に固定され、前記流れ制御装置が気管支通路内に移殖されたときに当該気管支通路の内壁に対して半径方向の力を及ぼし、前記流れ制御装置を前記気管支通路内の固定位置に保持する固定要素とから構成されている、請求項７５に記載の方法。